(57)【特許請求の範囲】
【請求項１】
広帯域送信を利用して通信する方法であって、
通信させるために、無許可のＵＮＩＩ−３帯域（国立情報インフラストラクチャ−３帯域）の奇数番号のチャネルブロックをスキャンする段階と、
前記奇数番号のチャネルブロックがアイドルであることを判断する段階と、
ＵＮＩＩ−２拡張帯域の偶数番号のチャネルブロックおよび前記ＵＮＩＩ−３帯域の偶数番号のチャネルブロックで、近接した広帯域基本サービスセット（ＢＳＳ）のデータを送信する段階と、
前記ＵＮＩＩ−２拡張帯域から一次チャネルを選択する段階と、
前記ＵＮＩＩ−２拡張帯域の前記偶数番号のチャネルブロックで動作している前記近接した広帯域基本サービスセット（ＢＳＳ）に参加するレガシーデバイスから前記ＵＮＩＩ−２拡張帯域でビーコンを受信する段階と
を備える方法。
【請求項２】
前記ＵＮＩＩ−３帯域の前記奇数番号のチャネルブロックがアイドルではない場合、サブ広帯域モードで動作する段階をさらに備える、請求項１に記載の方法。
【請求項３】
前記ＵＮＩＩ−３帯域の前記奇数番号のチャネルブロックがアイドルではない場合、非近接の広帯域モードで動作する段階をさらに備える、請求項１に記載の方法。
【請求項４】
前記非近接の広帯域モードは、前記ＵＮＩＩ−２拡張帯域の偶数番号のチャネルブロックおよび前記ＵＮＩＩ−３帯域の奇数番号のチャネルブロックでの動作を含む、請求項３に記載の方法。
【請求項５】
ＵＮＩＩ−１帯域の偶数番号のチャネルブロックを利用して、近接した広帯域モードで送信を行う段階をさらに備える、請求項２に記載の方法。
【請求項６】
５ギガヘルツ帯域の送信に、３つの広帯域チャネルが利用可能である、請求項１から５のいずれか一項に記載の方法。
【請求項７】
前記広帯域送信は１６０メガヘルツ幅である、請求項１から６のいずれか一項に記載の方法。
【請求項８】
レガシーネットワークで広帯域送信を提供する方法であって、
通信させるために、無許可のＵＮＩＩ−３帯域（国立情報インフラストラクチャ−３帯域）の奇数番号のチャネルブロックをスキャンする段階と、
前記奇数番号のチャネルブロックがアイドルであることを判断する段階と、
ＵＮＩＩ−２拡張帯域の偶数番号のチャネルブロックおよび前記ＵＮＩＩ−３帯域の前記奇数番号のチャネルブロックで、送信要求（ＲＴＳ）フレームを送信する段階と、
前記ＵＮＩＩ−２拡張帯域の前記偶数番号のチャネルブロックおよび前記ＵＮＩＩ−３帯域の前記奇数番号のチャネルブロックで、送信準備完了（ＣＴＳ）フレームを受信する段階と、
前記ＵＮＩＩ−２拡張帯域の前記偶数番号のチャネルブロックおよび前記ＵＮＩＩ−３帯域の偶数番号のチャネルブロックで、近接広帯域モードでデータを送信する段階と、
前記ＵＮＩＩ−２拡張帯域の前記偶数番号のチャネルブロックおよび前記ＵＮＩＩ−３帯域の前記奇数番号のチャネルブロックで、受領確認（ＡＣＫ）フレームを受信する段階と
を備える方法。
【請求項９】
前記ＵＮＩＩ−２拡張帯域の偶数番号のチャネルブロックを、通信のためにスキャンする段階をさらに備える、請求項８に記載の方法。
【請求項１０】
前記ＵＮＩＩ−３帯域の前記奇数番号のチャネルブロックがアイドルではない場合、サブ広帯域モードで動作する段階をさらに備える、請求項９に記載の方法。
【請求項１１】
前記ＵＮＩＩ−２拡張帯域の前記偶数番号のチャネルブロックは、チャネルブロック１３２、１３６、１４０、および１４４からなり、前記ＵＮＩＩ−３帯域の前記奇数番号のチャネルブロックは、チャネル１４９、１５３、１５７、および１６１からなる、請求項８から１０のいずれか一項に記載の方法。
【請求項１２】
各チャネルブロックは４つのチャネルを含む、請求項８から１１のいずれか一項に記載の方法。
【請求項１３】
前記広帯域送信は１６０メガヘルツ幅である、請求項８から１２のいずれか一項に記載の方法。
【請求項１４】
前記データはＰＰＤＵ(ＰＬＣＰ（Physical Layer Convergence Protocol）プロトコル・データ・ユニット)を利用して送信される、請求項８から１３のいずれか一項に記載の方法。
【請求項１５】
前記広帯域送信は、８０２．１１ａｃプロトコルを利用して送信され、前記レガシーネットワークは８０２．１１ｎネットワークである、請求項８から１３のいずれか一項に記載の方法。
【請求項１６】
レガシーネットワークで広帯域送信を提供するシステムであって、
アンテナと、
無許可の国立情報インフラストラクチャ（ＵＮＩＩ−３）帯域のチャネルブロックがアイドルかを判断するプロセッサと、
無線通信ユニットと
を備え、
前記無線通信ユニットは、
通信させるために、ＵＮＩＩ−３帯域の奇数番号のチャネルブロックをスキャンして、
ＵＮＩＩ−２拡張帯域の偶数番号のチャネルブロックおよびＵＮＩＩ−３帯域の奇数番号のチャネルブロックで、送信要求（ＲＴＳ）フレームを送信して、
前記ＵＮＩＩ−２拡張帯域の前記偶数番号のチャネルブロックおよび前記ＵＮＩＩ−３帯域の前記奇数番号のチャネルブロックで、送信準備完了（ＣＴＳ）フレームを受信して、
前記ＵＮＩＩ−２拡張帯域の前記偶数番号のチャネルブロックおよび前記ＵＮＩＩ−３帯域の偶数番号のチャネルブロックで、近接広帯域モードでデータを送信して、
前記ＵＮＩＩ−２拡張帯域の前記偶数番号のチャネルブロックおよび前記ＵＮＩＩ−３帯域の前記奇数番号のチャネルブロックで、受領確認（ＡＣＫ）フレームを受信する、システム。
【請求項１７】
前記ＵＮＩＩ−３帯域の前記奇数番号のチャネルブロックがアイドルではない場合、前記無線通信ユニットは、サブ広帯域モードで動作する、請求項１６に記載のシステム。
【請求項１８】
前記ＵＮＩＩ−２拡張帯域の前記偶数番号のチャネルブロックは、チャネルブロック１３２、１３６、１４０、および１４４からなり、前記ＵＮＩＩ−３帯域の前記奇数番号のチャネルブロックは、チャネル１４９、１５３、１５７、および１６１からなる、請求項１６または１７に記載のシステム。
【請求項１９】
各チャネルブロックは４つのチャネルを含む、請求項１６から１８のいずれか一項に記載のシステム。
【請求項２０】
前記広帯域送信は１６０メガヘルツ幅である、請求項１６から１９のいずれか一項に記載のシステム。
【発明の詳細な説明】
【技術分野】
【０００１】
本願は無線システムに係り、より詳しくは、レガシーシステムを含む無線ネットワークにおける送信を共存させるための装置および方法に係る。
【背景技術】
【０００２】
無線通信ネットワーク（例えば無線ローカルエリアネットワーク（ＷＬＡＮ）および／または無線パーソナルエリアネットワーク（ＷＰＡＮ））内の増加したデータ量を転送する要求を満たすためには、１つの無線通信クライアントにつき毎秒１ギガビット（Ｇｂｐｓ）を超えるような、スループットの向上が必要となりうる。
【０００３】
スループットの向上は、例えば、広帯域幅を有する通信リンクを利用することで達成可能である。例えば、ＩＥＥＥ８０２．１１規格に準拠して５ギガヘルツ（ＧＨｚ）の周波数帯域で動作するネットワークにおいては１Ｇｂｐｓを超えるスループットを提供するためには、８０メガヘルツ（ＭＨｚ）を超える帯域幅が必要となりうる。
【０００４】
広帯域幅を達成するには、複数の無線通信チャネルが必要となる場合がある。例えば、８０ＭＨｚを超える帯域幅を達成するには、ＩＥＥＥ８０２．１１規格においては、４つを超える数の２０ＭＨｚのチャネルが必要となる。
【０００５】
しかし、干渉、ネットワーク間の重なり、規制上の制約等によって、広帯域を有するチャネルの割り当ては現実的ではない。
【０００６】
以下に本発明を例示するが、添付図面により限定はされない。
【図面の簡単な説明】
【０００７】
【図１】一部の実施形態における、互いに隣り合っている無線通信ネットワークの概略ブロック図である。
【図２】一部の実施形態におけるシステムの概略ブロック図である。
【図３】一部の実施形態におけるチャネル割り当てを示すブロック図である。
【図４】一部の実施形態におけるチャネル割り当てを示すブロック図である。
【図５】一部の実施形態における広帯域送信を示すブロック図である。
【図６】一部の実施形態における広帯域送信方法を示すブロック図である。
【図７】一部の実施形態における広帯域送信方法を示すブロック図である。
【発明を実施するための形態】
【０００８】
以下の詳細な記載においては、数多くの特定の詳細を述べて本発明の実施形態の完全な理解を促している。しかし当業者であれば、本発明の実施形態がこれら特定の詳細なしに実行可能であることを理解する。また、公知の方法、プロシージャ、コンポーネント、および回路については詳細な記載を省くことで、本発明の実施形態を曖昧にしないようにしている箇所もある。
【０００９】
そうではないと明記しない限りにおいて、「処理（processing）」「コンピューティング（computing）」「計算（calculating）」「判断／決定（determining）」「選択（selecting）」「デコード（decoding）」といった用語を利用する説明は明細書の随所に見られるが、これらは、特にそうではないと明記していない限りにおいて、コンピュータ、コンピューティングプラットフォーム、コンピューティングシステム、あるいは他の電子コンピューティングデバイスの動作および／または処理に係るものであってよく、コンピュータのレジスタおよび／またはメモリの電子量等の物理量で表されるデータを、コンピュータのメモリ、レジスタ、または他の同様の情報格納、送信デバイス内の物理量として同様に表される他のデータへと操作および／または変換するもののことであってよい。本明細書では、「複数の」という言い回しは、２以上のコンポーネント、デバイス、エレメント、パラメータ等を記載するために利用される。
【００１０】
以下の詳細な記載は、無線デバイス、プラットフォーム、ユーザ機器（ＵＥ）、サブスクライバステーション（ＳＳ）、移動局（ＭＳ）、高度移動局（ＡＭＳ）、高スループット（ＨＴ）局（ＳＴＡ）、または非常にＨＴであるＳＴＡ（ＶＨＴ  ＳＴＡ）を利用して通信するための様々な実施形態を記載する。上述するデバイスの様々な形態（プラットフォーム、ＵＥ、ＳＳ、ＭＳ、ＨＴ  ＳＴＡ、およびＶＨＴ  ＳＴＡ）が、交換可能な概念として利用され、様々な実施形態において、特定のデバイスのついての言及は、他のデバイスについても当てはまる場合がある。ネットワークにおいてデバイスは、基地局（ＢＳ）、アクセスポイント（ＡＰ）、ノード、ノードＢ、または高度ノードＢ（ｅＮＢ）等の１以上の他のデバイスと通信することができる。さらに、これらの用語は、その無線ネットワークで利用される無線プロトコルが何であろうと、概念的に入れ替え可能であり、例えば本明細書におけるＢＳに関する説明は、ＡＢＳ、ｅＮＢ、またはＡＰに関する説明としてとらえてよい場合がある。同様に、別の例として、本明細書におけるＭＳに関する説明は、ＨＴ  ＳＴＡ、ＶＨＴ  ＳＴＡ、またはＳＳに関する説明としてとらえてよい場合がある。様々な実施形態において、特定のデバイスに関する言及は、他のデバイスにも当てはまる場合がある。
【００１１】
以下の詳細な記載においては、数多くの特定の詳細を述べて本発明の完全な理解を促している。しかし当業者であれば、本発明がこれら特定の詳細なしに実行可能であることを理解する。また、公知の方法、プロシージャ、コンポーネント、ユニット、および回路については詳細な記載を省くことで、本発明を曖昧にしないようにしている箇所もある。
【００１２】
一部の実施形態は、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス、車両用デバイス、非車両用デバイス、モバイルまたはポータブルデバイス、家庭用デバイス、非モバイルまたは非ポータブルデバイス、無線通信ステーション、無線通信デバイス、無線アクセスポイント（ＡＰ）、有線または無線ルータ、有線または無線モデム、ビデオデバイス、オーディオデバイス、オーディオ−ビデオ（Ａ／Ｖ）デバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、放送ＨＤレシーバ、ビデオソース、オーディオソース、ビデオシンク、オーディオシンク、ステレオチューナ、放送ラジオレシーバ、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオアンプ、ゲームデバイス、データソース、データシンク、デジタルスチルカメラ、有線または無線ネットワーク、ワイヤレスエリアネットワーク、ワイヤレスビデオエリアネットワーク（ＷＶＡＮ）、ローカルエリアネットワーク（ＬＡＮ）、
ワイヤレスＬＡＮ（ＷＬＡＮ）、ワイヤレスメトロポリタンエリアネットワーク（ＷＭＡＮ）通信システム、パーソナルエリアネットワーク（ＰＡＮ）、ワイヤレスＰＡＮ（ＷＰＡＮ）、ＩＥＥＥ８０２．１１（情報技術のＩＥＥＥ規格−システム間の電話通信および情報交換−ローカルおよびメトロポリタンエリアネットワーク−特別要件、パート１１：ワイヤレスＬＡＮ媒体アクセス制御（ＭＡＣ）および物理層（ＰＨＹ）仕様−２００７年６月）、８０２．１１ｎ、８０２．１１ａｃ、８０２．１１タスクグループａｄ（ＴＧａｄ）（「８０２．１１規格」）、８０２．１６（ＩＥＥＥ−規格８０２．１６、２００４年版、固定ブロードバンドワイヤレスアクセスシステムのためのエアインタフェース）、８０２．１６ｄ、８０２．１６ｅ（ＩＥＥＥ−規格８０２．１６ｅ、２００５年版、許可帯域における組み合わせられた固定およびモバイル処理用の物理および媒体アクセス制御層）、８０２．１６ｆ、８０２．１６ｍ規格（「８０２．１６規格」、および／または将来のバージョンおよび／またはその派生物）に準拠して動作するデバイスおよび／またはネットワーク、既存のＷｉｒｅｌｅｓｓＨＤ（登録商標）および／またはワイヤレス・ギガビット・アライアンス（ＷＧＡ）仕様および／または将来のバージョンおよび／またはその派生物に従い動作するデバイスおよび／またはネットワーク、既存のＩＥＥＥ８０２．１１（ＩＥＥＥ８０２．１１-１９９９：ワイヤレスＬＡＮ媒体アクセス制御（ＭＡＣ）および物理層（ＰＨＹ）仕様）規格およびその修正版（「ＩＥＥＥ８０２．１１規格」）、ＩＥＥＥ８０２．１６規格、および／または、その将来のバージョンおよび／またはその派生物等に従い動作するデバイスおよび／またはネットワーク、および／または、上述したネットワークの一部であるユニットおよび／またはデバイス、一方向または双方向通信システム、セルラー方式無線移動電話通信システム、ワイヤレスディスプレイ（ＷｉＤｉ）デバイス、携帯電話、無線電話、パーソナル・コミュニケーション・システム（ＰＣＳ）デバイス、無線通信デバイス、モバイルまたはポータブルグローバルポジショニングシステム（ＧＰＳ）デバイスが組み込まれたＰＤＡデバイス、ＧＰＳレシーバまたはトランシーバまたはチップが組み込まれたデバイス、ＲＦＩＤ素子またはチップが組み込まれたデバイス、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１以上の内部アンテナおよび／または外部アンテナを有するデバイス、デジタルビデオ放送（ＤＶＢ）デバイスまたはシステム、マルチスタンダードの無線デバイスまたはシステム、有線または無線ハンドヘルドデバイス（ＢｌａｃｋＢｅｒｒｙ、Ｐａｌｍ  Ｔｒｅｏ等）、ワイヤレスアプリケーションプロトコル（ＷＡＰ）デバイス等の様々なデバイスおよびシステムと組み合わせて利用することができる。
【００１３】
一部の実施形態は、無線周波数（ＲＦ）、赤外線（ＩＲ）、周波数分割多重（ＦＤＭ）、直交周波数分割多重（ＯＦＤＭ）、時分割多重（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ）、ＣＤＭＡ２０００、シングルキャリアＣＤＭＡ、マルチキャリアＣＤＭＡ，マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、ウルトラワイドバンド（ＵＷＢ）、モバイル通信用のグローバルシステム（ＧＳＭ（登録商標））、２Ｇ、２．５Ｇ、３Ｇ、３．５Ｇ、ＧＳＭ（登録商標）エボリューション用の拡張データレート（ＥＤＧＥ）等の１以上の種類の無線通信信号および／またはシステムと組み合わせて利用することができる。他の実施形態も様々な他のデバイス、システム、および／またはネットワークで利用可能である。
【００１４】
本明細書で利用される「デバイス」という用語は、無線通信機能を有するデバイス、無線通信機能を有する通信デバイス、無線通信機能を有する通信ステーション、無線通信機能を有する携帯デバイスまたは固定デバイス等を含む。一部の例示的な実施形態では、無線デバイスは、コンピュータに集積される周辺部であっても、コンピュータに取り付けられた周辺部であっても、これらを含んでもよい。一部の例示的な実施形態では、「デバイス」という用語は、オプションとして無線サービスを含んでもよい。
【００１５】
実施形態は無線通信に係る。一部の実施形態は、ＰＰＤＵ(ＰＬＣＰ（Physical Layer Convergence Protocol）プロトコル・データ・ユニット)等のパケットを複数のチャネルで通信するマルチチャネル無線ネットワークに関する。一部の実施形態は、ＩＥＥＥ８０２.１１規格（ＩＥＥＥ８０２.１１ｎおよびＩＥＥＥ８０２.１１ａｃを含む）のいずれかに従って動作する無線ネットワークおよびデバイスに関する。
【００１６】
無線通信を含む通信分野では、狭帯域で通信するレガシーデバイスを含み、デバイスが無線環境で共存可能な広帯域送信用に構成されており、無線通信ネットワークを有し、レガシーデバイスもサブ広帯域または、より狭い帯域で動作可能であるような、無線環境における広帯域送信で利用されるデバイスおよび方法を提供すると好適であると思われる。
【００１７】
例えば５ギガヘルツ（ＧＨｚ）帯域では、４つのサブバンドが提供され、各サブバンドが複数のチャネルを有する複数のチャネルブロックを含み、各チャネルが５メガヘルツ（ＭＨｚ）帯域幅である。この例では、各サブバンドのチャネル数は等しくなく、サブバンドが近接している必要もなく、無線環境のデバイスは、無線プロトコルおよびその他の変数に則った特定のチャネルブロックを利用している。無線環境において、広帯域送信、およびこれより狭い帯域の送信の間の衝突を避けつつ共存させるシステムおよび方法は、無線送信に対応したデバイスには非常に高いスループットを提供することができ、同時にレガシーシステムが同じ無線環境で共存して動作することを可能とする。
【００１８】
図１は、一部の実施形態における、互いに隣り合っている無線通信ネットワークの概略ブロック図である。隣り合っている無線通信ネットワークには、非常に高いスループット（ＶＨＴ）のＢＳＳ１００および高いスループット（ＨＴ）のＢＳＳ１１０等の２以上の基本サービスセット（ＢＳＳ）が含まれている。ＶＨＴ  ＢＳＳ１００には、ＶＨＴアクセスポイント（ＡＰ）１０４および１以上のＨＶＴ通信局（ＳＴＡ）１０２が含まれてよく、ＨＴ  ＢＳＳ１１０には、互いに隣り合っているＨＴ  ＡＰ１１４と１以上のＨＴ通信局（ＳＴＡ）１１２とが含まれていてよい。一実施形態では、ＶＨＴ  ＢＳＳ１００は、ＩＥＥＥ８０２.１１ａｃに準拠して動作してよく、ＨＴ  ＢＳＳ１１０は、ＩＥＥＥ８０２.１１ｎに準拠して動作してよい。別の実施形態では他の無線プロトコルが利用されてもよい。
【００１９】
ＶＨＴ  ＢＳＳ１００は、１つの一次チャネルと、最大で３以上の二次チャネルとを利用してよい。他方でＨＴ  ＢＳＳ１１０は、一次チャネルと１つの二次チャネルとの利用に制限されていてよい。ＶＨＴ通信局１０２とＨＴ通信局１１２とは、アクセスコンテンションについて、ＣＳＭＡ／ＣＡプロトコル等のコンテンションベースの衝突回避プロトコルを利用することができる。
【００２０】
ＶＨＴ  ＢＳＳ１００が利用する一次チャネルは、ＨＴ  ＢＳＳ１１０が利用する一次チャネルと同じでなくてもよく、ＶＨＴ  ＢＳＳ１００の二次チャネルの１以上がＨＴ  ＢＳＳ１１０の一次チャネルに存在していてもよい。こうすることで衝突の機会が増える。
【００２１】
一部の実施形態では、ＶＨＴ通信局１０２は、ＰＰＤＵ(ＰＬＣＰ（Physical Layer Convergence Protocol）プロトコル・データ・ユニット)等のデータユニットを、１つの一次チャネル、および、最大で３以上の二次チャネルで通信するよう構成されていてよく、ＨＴ通信局１１２は、１つの一次チャネル、および、最大で１つの二次チャネルでＰＰＤＵを通信するよう構成されていてよい。ＶＨＴ通信局１０２は、ＶＨＴ  ＢＳＳ１００の二次チャネルのパケットを検知するようにすることで、ＨＴ通信局１１２との間の衝突の機会を低減させるよう構成されていてよい。これら実施形態では、ＶＨＴ通信局１０２は、コンテンション窓の間に、短いプリアンブル検知と、ガード間隔検知とを行い、二次チャネルのいずれかのパケット送信を検知してよい。
【００２２】
図２は、一部の実施形態におけるシステム２００の概略ブロック図である。図２に示すように、一部の例示的な実施形態では、システム２００は、コンテンツ、データ、情報、および／または、信号を、無線通信リンク２１６を介して通信することのできる１以上の無線通信デバイス（例えば、無線通信デバイス２０２および／または２０６）を含みうる。システム２００の１以上のエレメントは、オプションとして、任意の適切な有線通信リンクを介して通信する機能を有してよい。
【００２３】
一部の例示的な実施形態では、無線通信デバイス２０２および／または２０６は、例えばＰＣ、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス（携帯電話機能にＰＤＡデバイスの機能を組み合わせたもの）、家庭用デバイス、車両用デバイス、非車両用デバイス、モバイルまたはポータブルデバイス、非モバイルまたは非ポータブルデバイス、携帯電話、ハンドセット、ＰＣＳデバイス、無線通信デバイスを含むＰＤＡデバイス、モバイルまたはポータブルなＧＰＳデバイス、ＤＶＢデバイス、比較的小さなコンピューティングデバイス、非デスクトップコンピュータ、「キャリー・スモール・リブ・ラージ」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「折り紙」デバイスまたはコンピューティングデバイス、「ダイナミカリー・コンポーザブル・コンピューティング」（ＤＣＣ）をサポートするデバイス、コンテキスト認識デバイス、ビデオデバイス、オーディオデバイス、Ａ／Ｖデバイス、ＳＴＢ，ＢＤプレーヤ、ＢＤレコーダ、ＤＶＤプレーヤ、ＨＤ  ＤＶＤプレーヤ、ＤＶＤレコーダ、ＨＤ  ＤＶＤレコーダ、ＰＶＲ，放送ＨＤレシーバ、ビデオソース、オーディオソース、ビデオシンク、オーディオシンク、ステレオチューナ、放送ラジオレシーバ、フラットパネルディスプレイ、ＰＭＰ、ＤＶＣ，デジタルオーディオプレーヤ、スピーカ、オーディオレシーバ、ゲームデバイス、オーディオアンプ、データソース、データシンク、ＤＳＣ、メディアプレーヤ、スマートフォン、テレビ、音楽プレーヤ、ＡＰ、基地局、ＨＶＴ  ＳＴＡ１０２、ＶＨＴ  ＡＰ１０４、ＨＴ  ＳＴＡ１１２、ＨＴ  ＡＰ１１４等を含んでよい。
【００２４】
一部の例示的な実施形態では、デバイス１０２は、１以上のアンテナ２１２および無線通信リンク２１６を介して、無線送信をデバイス２０６へ送信する無線通信ユニット２０８を含んでよい。デバイス２０６は、１以上のアンテナ２１４を介して無線送信を受信する無線通信ユニット２４０を含んでよい。アンテナ２１２および／または２１４として利用可能な種類のアンテナには、これらに限定はされないが、内部アンテナ、ダイポールアンテナ、全方位アンテナ、モノポールアンテナ、エンドフェッドアンテナ、円偏光アンテナ、マイクロストリップアンテナ、ダイバーシティアンテナ等が含まれてよい。
【００２５】
一部の例示的な実施形態では、無線通信リンク２１６は、例えば後述するような少なくとも１６０メガヘルツ（ＭＨｚ）の広帯域幅を有してよい。他の実施形態では、無線通信リンク２１６は、他のいずれの適切な帯域幅を有していてもよい（例えば、８０ＭＨｚ、４０ＭＨｚ、２０ＭＨｚ）。他の実施形態では、広帯域が８０ＭＨｚであり、サブ広帯域が４０ＭＨｚ以下であってよいが、実施形態はこの構成に限定はされない。
【００２６】
一部の例示的な実施形態では、無線通信デバイス２０２および／または２０６は、さらに、プロセッサ２２６、入力ユニット２１８、出力ユニット２２０、メモリユニット２２２、および格納ユニット２２４のうち１以上を含んでよい。無線通信デバイス２０２および／または２０６は、オプションとして、任意の他のハードウェアコンポーネントおよび／またはソフトウェアコンポーネントを含んでよい。一部の例示的な実施形態では、無線通信デバイス２０２および／または２０６の各々が持つコンポーネントの一部または全部が、共通の筐体またはパッケージングに含まれていてもよいし、１以上の有線または無線リンクを利用して相互接続されていても、または動作可能に関連付けられていてもよい。他の実施形態では、無線通信デバイス２０２および／または２０６の各々が持つコンポーネントは、多数の別個のデバイス間で分配されてもよい。
【００２７】
プロセッサ２２６は、例えば中央処理ユニット（ＣＰＵ）、デジタル信号プロセッサ（ＤＳＰ）、１以上のプロセッサコア、シングルコアプロセッサ、デュアルコアプロセッサ、マルチコアプロセッサ、マイクロプロセッサ、ホストプロセッサ、コントローラ、複数のプロセッサまたはコントローラ、チップ、マイクロチップ、１以上の回路、回路群、論理ユニット、集積回路（ＩＣ）、特定用途向けＩＣ（ＡＳＩＣ）、または任意の他の適切な多目的の、または、専用のプロセッサ、コントローラを含む。プロセッサ２２６は、例えば無線通信デバイス２０２および／または２０６のオペレーティングシステム（ＯＳ）の命令、および／または、１以上の適切なアプリケーションの命令を実行する。
【００２８】
入力ユニット２１８は、例えば、キーボード、キーパッド、マウス、タッチパッド、トラックボール、スタイラス、マイクロフォン、その他の適切なポインティングデバイスまたは入力デバイスを含む。出力ユニット２２０は、例えば、モニタ、スクリーン、フラットパネルディスプレイ、陰極線管（ＣＲＴ）ディスプレイユニット、液晶ディスプレイ（ＬＣＤ）ユニット、プラズマディスプレイユニット、１以上のオーディオスピーカまたはイヤホン、その他の適切な出力デバイスを含む。
【００２９】
メモリユニット２２２は、例えば、ランダムアクセスメモリ（ＲＡＭ）、読み取り専用メモリ（ＲＯＭ）、動的ＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット、その他の適切なメモリユニットを含む。格納ユニット２２４は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、その他の適切な取り外し可能、または取り外し不可能格納ユニットを含む。メモリユニット２２２および／または格納ユニット２２４は、例えば、無線通信デバイス２０２および／または２０６が処理するデータを格納することができる。
【００３０】
一部の例示的な実施形態では、無線通信リンク２１６は、複数の非近接無線通信チャネルを含んでよい。
【００３１】
「（複数の）非近接チャネル」という用語は、近接しても、隣接もしておらず、および／または、互いに境界を接してもいない２以上の無線通信チャネルのことであってよい。一例では、第１の無線通信チャネルが第２の無線通信チャネルから、例えば１以上の他の無線通信チャネル、サブチャネル、周波数帯域等で分離されている場合に、「第１および第２の無線通信チャネルが非近接である」と称してよい。
【００３２】
一部の例示的な実施形態では、複数の非近接チャネルのうちの少なくとも１つのチャネルが、少なくとも５ＭＨｚの帯域幅を有する。他の実施形態では、非近接無線通信チャネルは任意の他の適切な帯域幅を有してよい。
【００３３】
以下に、等しい帯域幅を有する２つの非近接無線通信チャネル（例えば２つの８０ＭＨｚチャネル）を含む無線通信リンク（例えば無線通信リンク２１６）を参照しながら一部の例示的な実施形態について説明する。一例では、無線通信リンクは、８０ＭＨｚの帯域幅を有する少なくとも１つのチャネルと、８０ＭＨｚとは異なる帯域幅（例えば、２０ＭＨｚ、４０ＭＨｚ、１２０ＭＨｚ、１６０ＭＨｚ等）を有する少なくとも１つのチャネルとを含んでよい。例えば、８０ＭＨｚチャネルは、例えば８０２．１１規格および／または任意の他の適切な規格および／またはプロトコルに準拠した４つの近接２０ＭＨｚチャネルを含んでよい。
【００３４】
一部の例示的な実施形態では、無線通信ユニット２０８は、複数の無線通信チャネルに無線送信を送信するための複数の送信（Ｔｘ）チェーン２１１を含んでよい。無線通信ユニット２４０は、複数の無線通信チャネルから無線送信を受信するための複数の受信（Ｒｘ）チェーン２４４を含んでよい。一部の実施形態では、Ｔｘチェーン２１１およびＲｘチェーン２４４のうち少なくとも１以上が、任意の適切な物理層（ＰＨＹ）チェーンおよび／もしくはコンポーネント、ならびに／または任意の他の適切なエレメントを含んでよい。
【００３５】
一部の実施形態では、無線通信ユニット２０８が、Ｔｘチェーン２１１を介して送信を共通制御する媒体アクセスコントローラ（ＭＡＣ）２１０（例えば１つのＭＡＣ）を含んでよい、および／または、無線通信ユニット２４０が、Ｒｘチェーン２４４を介して送信を共通制御するＭＡＣ２４２（例えば１つのＭＡＣ）を含んでよいが、これについては以下で詳述する。
【００３６】
一部の実施形態では、ＭＡＣ２１０は、無線通信リンク２１６の複数の無線通信チャネルを介して無線通信パケットの送信シンボルを同時に送信するようにＴｘチェーン２１１を制御してよい。ＭＡＣ２４２は、無線通信リンク２１６の複数の無線通信チャネルを介して無線通信パケットのシンボルを同時受信するようにＲｘチェーン２４４を制御してよい。
【００３７】
図３は、一部の実施形態におけるチャネル割り当てを示すブロック図である。ブロック図は、５ギガヘルツ（ＧＨｚ）帯域の無線スペクトルの一部を示しており、５ＧＨｚ帯域の部分は、無許可帯域として割り当てられ、ＵＮＩＩ（Unlicensed National Information Infrastructure）無線帯域と称される。ＵＮＩＩ無線帯域は、ＩＥＥＥ−８０２.１１デバイスおよび数多くの無線ネットワークサービスプロバイダが利用する無線周波数スペクトルの一部であり、米国の連邦通信委員ＦＣＣの５ＧＨｚの無線デバイスの規制管轄の範囲内である。ＵＮＩＩ無線帯域は、本願では、ＵＮＩＩ−１帯域、ＵＮＩＩ−２帯域、ＵＮＩＩ−２拡張帯域、よびＵＮＩＩ−３帯域として分類される。帯域はさらに、各帯域に割り当てられるチャネル数、電力制限、および周波数帯域により分類され、チャネルがチャネルブロックにまとめられてよい。
【００３８】
５ＧＨｚ帯域の範囲内の特定の帯域の詳細は、地域によって変化させることができる。例えば、図３に示す帯域は、米国に適用可能な実施形態を反映している。他の実施形態では各帯域の周波数範囲が異なるものであってよい。図３に示すように、ＵＮＩＩ−１帯域は、５．１５から５．２５ＧＨｚの間の範囲であり、ＵＮＩＩ−１帯域は、３６から４８の範囲の偶数番号のチャネルブロックを含み、各チャネルブロックが、２０ＭＨｚの帯域幅全体において、５ＭＨｚチャネルを４つ含んでいる。ここでチャネルブロックは、１つのチャネルのことであっても、チャネルブロックにまとめられる複数のチャネルのことであってもよい。各チャネルブロックの４つのチャネルが含まれていてよいが、チャネルブロックを構成するためにこれより少ない、または多い数のチャネル（例えば２、３、５、または６）が利用されてもよい。
【００３９】
一実施形態では、複数帯域および／またはチャネルの送信電力レベルが同じ、または実質的に同じであってよい。例えば、ＵＮＩＩ−１およびＵＮＩＩ−２帯域または拡張されたＵＮＩＩ−２およびＵＮＩＩ−３帯域において、１６０ＭＨｚチャネルの送信は、１６０ＭＨｚチャネル全体として同じまたは実質的に同じ電力レベルで実行されてよい。別の実施形態では、１６０ＭＨｚチャネルに複数の電力レベルを適用する。例えば、ＵＮＩＩ−１帯域で１６０ＭＨｚチャネルを送信するために第１の電力レベルを利用して、ＵＮＩＩ−２帯域で１６０ＭＨｚチャネルを送信するために第２の電力レベルを利用することができる。
【００４０】
同様に、ＵＮＩＩ−２帯域は、５．２５から５．３５ＧＨｚの間の全帯域幅２０ＭＨｚについて５ＭＨｚのチャネルブロックを４つ含み、５２から６４個という偶数番号のチャネルブロックの範囲である。ＵＮＩＩ−２拡張帯域幅は、ＵＮＩＩ世界帯域とも称されることがあるが、５．４７から５．７２５ＧＨｚの範囲であり、１００から１４４までの偶数番号の５ＭＨｚのチャネルブロックを１２個含んでいる。本実施形態では、５ＧＨｚのギャップがＵＮＩＩ−２拡張帯域の後であって、ＵＮＩＩ−３帯域の前に存在する。ＵＮＩＩ−３帯域は、５．８２５ＧＨｚに拡張されており、１４９から１６５までの奇数番号の５ＭＨｚのチャネルブロックを５つ含んでいる。図３の周波数ラベルは、対応するＵＮＩＩ帯域について構築される制限を示す。
【００４１】
一実施形態では、各チャネルブロックが２０ＭＨｚの範囲の帯域幅であるチャネルブロック３６−６４が５．１７ＧＨｚおよび５．３３ＧＨｚの間にあり、チャネルブロック３６−６４がＵＮＩＩ−１およびＵＮＩＩ−２帯域におさまっている。一実施形態では、各チャネルブロックが２０ＭＨｚの範囲の帯域幅であるチャネルブロック１００−１４０が５．４９ＧＨｚおよび５．７１ＧＨｚの間の範囲にあり、チャネルブロック１００−１４０がＵＮＩＩ−２帯域におさまっている。さらに、各チャネルブロックが２０ＭＨｚの範囲の帯域幅であるチャネルブロック１４９−１６５が５．７３５ＧＨｚおよび５．８３５ＧＨｚの間にあり、チャネルブロック１４９−１６５がＵＮＩＩ−３帯域におさまっている。別の実施形態では、各帯域におけるチャネルが占拠する周波数帯域およびチャネルブロック番号は、規定上の要件その他の限定に応じて異なるものであってよい。
【００４２】
複数のチャネルでのデータストリームの送信は、通信に利用される無線プロトコルに応じて異なるものであってよい。例えば８０２．１１ａｃ（ＴＧａｃ）ドラフト仕様では、ＶＨＴ  ＢＳＳ１００の８０ＭＨｚのＰＨＹ送信は、２つの隣り合わせの４０ＭＨｚチャネルを利用してサポートされている。８０ＭＨｚの送信については、チャネルブロック３６および４０は、２つの隣り合わせのチャネルブロックであり、組み合わせると全体として４０ＭＨｚの帯域幅を提供する。さらにチャネルブロック４４および４８も、全体として４０ＭＨｚの帯域幅が提供される。チャネルブロック３６、４０、４４、および４８を組み合わせると、全体として８０ＭＨｚの近接した送信用の帯域幅が提供される。チャネルブロック３６−４８を組み合わせると、１６０ＭＨｚ送信用の第１の周波数部分を提供することができる。１６０ＭＨｚ送信用の第２の周波数部分は、チャネルブロック５２、５６、６０、および６４を含んでよく、第２の周波数部分は８０ＭＨｚの帯域幅である。近接した第１および第２の周波数部分によって、第１の１６０ｍＨｚチャネル３０２の近接送信が可能となる。一部の実施形態では、第１の周波数部分と第２の周波数部分とが、周波数下位部分および周波数上位部分と称される場合がある。
【００４３】
第２の１６０ＭＨｚチャネル３０４は、ＵＮＩＩ−２拡張帯域のチャネルブロック１００から１２０を利用して形成されてよく、第２の１６０ＭＨｚチャネル３０４は、２以上の周波数部分を利用して形成されてよい。第３の１６０ＭＨｚチャネル３０６も近接しているが、図３に示すように、周波数ギャップ３０８によって５ＧＨｚ帯域の送信はできなくなっている。周波数ギャップ３０８の帯域幅は５ＭＨｚ以上であってよい（例えば１０、１５、２０等）。
【００４４】
図４は、一部の実施形態におけるチャネル割り当てを示すブロック図である。これら実施形態のギャップ３０８は、ＵＮＩＩ−３帯域のチャネルブロック番号を付け直すことで除去される。ＵＮＩＩ−３帯域の奇数番号のチャネルブロック番号（チャネルブロック１４９、１５３、１５７、１６１、および１６５を含む）は、ギャップ３０８をなくしつつ、奇数番号のチャネルブロック番号１４８、１５２、１５６、１６０、および１６４で置き換えられる。ギャップ３０８をなくすことで、ＵＮＩＩ−２拡張帯域からＵＮＩＩ−３帯域までの近接したチャネルブロックセット（１００−１６４）が提供され、新たなチャネル割り当てが実現される。第３の１６０ＭＨｚチャネル３０６は、５ＧＨｚ帯域の１６０ＭＨｚチャネルを３つ提供するが、実施形態はこれに限定されず、他の周波数スペクトルまたは帯域に適用可能である。
【００４５】
ＵＮＩＩ−３帯域の新たなチャネル形成を定義することで、５ＧＨｚ帯域の３つの近接した、および重ならないチャネルが提供されてよい。しかし、１６０ＭＨｚチャネルを利用して動作するデバイスの間には共存の問題が生じる可能性がある（例えば図１のＶＨＴ通信局１０２とＶＨＴ  ＡＰ１０４との間、および、上述したＵＮＩＩ−３帯域の奇数番号のチャネルを利用して動作するレガシーデバイスの間等）。例えば、ＵＮＩＩ−３の奇数番号のチャネルブロックで動作する図１のＨＴ通信局１１２および／またはＨＴ  ＡＰ１１４が、１６０ＭＨｚ送信用のＵＮＩＩ−３帯域の偶数番号のチャネルブロックを含む偶数番号のチャネルブロック（１３２から１６０）を利用するＶＨＴ通信局１０２および／またはＶＨＴ  ＡＰ１０４からの送信を検知できない場合がある。共存を実現するためには、１つのＢＳＳ内、または別個の重なっているＢＳＳ内で動作するＶＨＴデバイスおよびレガシーデバイスに平等にアクセスを可能とさせるようなチャネルアクセス規則を利用することができる。チャネルアクセス規則は、ＶＨＴ通信局１０２および／またはＶＨＴ  ＡＰ１０４等のＶＨＴデバイスからの送信を、ＶＨＴ送信の期間、レガシーチャネルのアクセスから守ることができるようにする（図５の近接広帯域幅データユニット５０２を含んでよい）。
【００４６】
共存は、レガシーデバイスおよびＶＨＴデバイス間の衝突を回避するために提供されてよく、ここでレガシーデバイスとはＨＴ  ＳＴＡ１１２、ＨＴ  ＡＰ１１４、またはＶＨＴデバイスより動作帯域幅の狭いその他のデバイスであってよく、ＶＨＴデバイスとはＶＨＴ  ＳＴＡ１０２および／またはＶＨＴ  ＡＰ１０４であってよい。ＶＨＴデバイスチャネル選択規則をＵＮＩＩ−３帯域の偶数チャネルブロックおよびＵＮＩＩ−２拡張帯域等の２つの周波数帯域にわたる動作に利用することで、ＵＮＩＩ−３帯域の１以上の奇数番号のチャネルブロックがＶＨＴデバイスによって図６のエレメント６０２で走査され、この奇数番号のチャネルには、チャネルブロック１４９、１５３、１５７、１６１、および１６５の１以上が含まれてよい。レガシーデバイスが利用するＵＮＩＩ−３帯域の奇数番号のチャネルが１以上存在する場合には、ＶＨＴデバイスは、チャネルブロック１３２、１３６、１４０、１４４、１４８、１５２、１５６、および１６０の１以上を含みうる１６０ＭＨｚチャネル等の近接した広帯域チャネルを利用しない。または、ＶＨＴデバイスがＵＮＩＩ帯域のいずれかにおける８０ＭＨｚチャネルを利用して動作してもよく、または、ＶＨＴデバイスが、ＵＮＩＩ−１、ＵＮＩＩ−２、またはＵＮＩＩ−２拡張帯域の８０ＭＨｚチャネル、および、ＵＮＩＩ−３帯域の奇数番号のチャネル等の、近接していない１６０ＭＨｚモードで動作してもよい。
【００４７】
ＵＮＩＩ−３帯域の奇数番号のチャネルが図６のエレメント６０４においてアイドルである場合には、ＶＨＴデバイスは、ＵＮＩＩ−２拡張帯域チャネルブロック１３２から１４４と、チャネルブロック１４８から１６０を含む、ＵＮＩＩ−３の偶数チャネルブロック番号とを両方利用して、近接１６０ＭＨｚモードで動作、送信することができる（図６のエレメント６０６参照）。ＶＨＴデバイスは、図６のエレメント６０８の一次チャネルを選択して、一次チャネルは、ＵＮＩＩ−２拡張帯域の任意の２０ＭＨｚサブチャネルに設定されて、レガシーデバイスに、ＶＨＴデバイスからの一次チャネルからビーコンを受け、レガシーシーデバイスを近接１６０ＭＨｚモードで動作しているＶＨＴ  ＢＳＳ１００に参加させることができる。ＶＨＴデバイスは、一次チャネルで送信を行って、レガシーデバイスに、ＶＨＴデバイスからのチャネルブロックのいずれかからビーコンを受信させる。ＶＨＴデバイスは、エレメント６１０で、ＵＮＩＩ−２拡張帯域でレガシーデバイスからのビーコンを受信する。
【００４８】
共存は、ＶＨＴデバイスの近接した１６０ＭＨｚ送信規則を利用して提供することもでき、ここでは、近接広帯域幅データユニット５０２が、ＰＰＤＵ等のデータユニットを利用して送信される。図７のエレメント７０２で、ＵＮＩＩ−３帯域の１以上の奇数番号のチャネルブロックがＶＨＴデバイスによって検知、またはスキャンされ、奇数番号のチャネルには、チャネルブロック１４９、１５３、１５７、１６１、および１６５の１以上が含まれていてよい。別の実施形態では、ＶＨＴデバイスが、ＵＮＩ−２拡張帯域の偶数番号のチャネルブロック１３２から１４４と、ＵＮＩＩ−３帯域の奇数番号のチャネルブロック１４９から１６１を含む８つのチャネルブロック全てをスキャンして、レガシーデバイスからの送信がないかを確かめる。
【００４９】
ＵＮＩＩ−３帯域の奇数番号のチャネルブロック１４９から１６１がアイドルではない場合（例えば、搬送波感知多重アクセス／衝突回避方式（ＣＣＡ）５０４を有するＶＨＴデバイス）、ＵＮＩＩ−３帯域の奇数番号のチャネルブロック１４９から１６１の１以上がビジーであることを示すので、ＶＨＴデバイスが８０ＭＨｚモードを利用して動作する。ＶＨＴデバイスは後で、一定の期間の間チャネルブロックがアイドルかを判断するために再度スキャンを行うことができ、これにより、近接１６０ＭＨｚ広帯域送信の準備を引き続き行うことができる。チャネルブロックがエレメント７０４で必要な時間アイドルである場合には、ＶＨＴデバイスが、ＵＮＩＩ−３の１以上の奇数番号のチャネルブロックであってよいチャネルブロックを介して送信要求（ＲＴＳ）フレーム５０６を送信し、奇数番号のチャネルには、チャネルブロック１４９、１５３、１５７、１６１、および１６５の１以上が含まれてよい。
【００５０】
別の実施形態では、ＶＨＴデバイスは、エレメント７０６のＵＮＩＩ−２拡張帯域の偶数番号のチャネルブロック１３２から１４４と、ＵＮＩＩ−３の奇数番号のチャネルブロック１４９から１６１を含む送信要求（ＲＴＳ）フレーム５０６を送信する。ＲＴＳフレーム５０６の送信によって、レガシーデバイスが、送信にかかる期間を知ることができ、ＵＮＩＩ−３帯域で動作するレガシーデバイスとＶＨＴデバイスとの間の衝突を回避することができるようになる。
【００５１】
ＲＴＳフレーム５０６をＶＨＴデバイスから受信すると、レシーバは、送信準備完了（ＣＴＳ）フレーム５０８を１以上のチャネルブロック（例えば、ＵＮＩＩ−２拡張帯域の偶数番号のブロック１３２から１４４、および、ＵＮＩＩ−３帯域の奇数番号のブロック１４９から１６１等）で応答として送信することができる。ＣＴＳフレーム５０８は、ＶＨＴデバイスによってエレメント７０８で受信される。
【００５２】
ＶＨＴデバイスは、ＵＮＩＩ−２拡張帯域の偶数番号のチャネルブロック１３２から１４４およびＵＮＩＩ−３帯域の偶数番号のブロック１４８から１６０を利用して、エレメント７１０で、近接広帯域モードで送信する。この実施形態では、ＶＨＴデバイスは、１６０ＭＨｚチャネルを利用して送信を行っているが、他の実施形態では、これより狭い帯域幅または広い帯域幅を利用することもできる。次いでＶＨＴデバイスは、示されているように、１以上のチャネルブロックを利用してエレメント７１２で、受領確認（ＡＣＫ）フレーム５１０を受信する。一実施形態では、ＶＨＴデバイスは、ＵＮＩＩ−２拡張帯域の偶数番号のチャネルブロック１３２から１４４およびＵＮＩＩ−３帯域の奇数番号のチャネルブロック１４９から１６１を介して、ＡＣＫフレーム５１０を受信する。
【００５３】
一般的に、ここで記載した動作は、適宜有形媒体に符号命令として具現化された適切なファームウェアまたはソフトウェアの事項によって促進される。従って、本発明の実施形態は、機械可読媒体に、プロセッサコアの形態で実行される命令セットまたはその内部に実装または実現される命令セットを含みうる。機械可読媒体は、機械が可読な形式の情報を格納または送信する任意のメカニズムを含む。例えば、機械可読媒体は、読み出し専用メモリ（ＲＯＭ）、ランダムアクセスメモリ（ＲＡＭ）、磁気ディスク格納媒体、光格納媒体、およびフラッシュメモリデバイス等を含んでよい。加えて、機械可読媒体には、電気、光、音響等の電波信号、またはその他の形態の電波信号（例えば搬送波、赤外線信号、デジタル信号）を含みうる。
【００５４】
本発明の一定の特徴について例示および記載してきたが、当業者であれば数多くの変形例、修正例、変更例、および均等物を想到するであろう。従って添付請求項は、これら全ての変形例および修正例を本発明の真の精神内に含むことを意図していることを理解されたい。
【図１】
0005475197.tif 000002
【図２】
0005475197.tif 000003
【図３】
0005475197.tif 000004
【図４】
0005475197.tif 000005
【図５】
0005475197.tif 000006
【図６】
0005475197.tif 000007
【図７】
0005475197.tif 000008